(57)【要約】【課題】ハードディスクドライブのカバー部材、及びハードディスクドライブを提供すること。【解決手段】ベース部材１１１とカバー部材１１２とから形成されたハウジング１００と、ベース部材１１１上に設置されたスピンドルモータ１３０と、スピンドルモータ１３０に装着されたデータ保存用ディスク１２０と、ベース部材１１１上に回動自在に設置されてディスクに／からデータを記録／再生するための書き込み／読み取りヘッドを持つアクチュエータ１４０と、備え、カバー部材１１２の底面には、ディスクの表面側に突出してディスクの回転により発生した空気流動をディスクの外側に誘導する空気誘導部１１４が設けられ、空気誘導部１１４は、ディスクの回転方向に沿ってその幅が次第に変わる形状を持つハードディスクドライブが提供される。【選択図】図１
2007066507.tif 000002
【特許請求の範囲】
【請求項１】
ハードディスクドライブのカバー部材の一面に形成され、データ保存用ディスクに面して突出した空気誘導部を備え、
前記空気誘導部は、
前記ディスクの回転方向に沿ってその幅が次第に変わる形状を有し、前記データ保存用ディスクの回転により発生した空気流動を、前記データ保存用ディスクの外側に誘導することを特徴とする、ハードディスクドライブのカバー部材。
【請求項２】
前記空気誘導部は、
前記データ保存用ディスクの回転に伴って流動する空気が流れ込む上流側端部から、前記空気が排出される下流側端部に向かって、その幅が次第に広くなる形状を有することを特徴とする、請求項１に記載のハードディスクドライブのカバー部材。
【請求項３】
前記空気誘導部の内周は、
前記ディスクの回転中心と同心をなし、
前記空気誘導部の外周は、
前記ディスクの回転中心からの半径が前記ディスクの回転方向に沿って次第に大きくなる流線型を成すことを特徴とする、請求項２に記載のハードディスクドライブのカバー部材。
【請求項４】
前記空気誘導部の内周は、
前記ディスクを回転させるスピンドルモータの外周に隣接することを特徴とする、請求項３に記載のハードディスクドライブのカバー部材。
【請求項５】
前記空気誘導部の上流側端部は、
空気流動方向に対して傾いて形成されたことを特徴とする、請求項２に記載のハードディスクドライブのカバー部材。
【請求項６】
前記空気誘導部は、
前記カバー部材に一体に形成されたことを特徴とする、請求項１に記載のハードディスクドライブのカバー部材。
【請求項７】
前記空気誘導部は、
前記カバー部材のプレス加工時に共に形成されることを特徴とする、請求項６に記載のハードディスクドライブのカバー部材。
【請求項８】
前記カバー部材の底面には、
前記空気誘導部の下流側端部の前方に位置して流動空気中のパーチクルを捕集するフィルターが付着されたことを特徴とする、請求項１に記載のハードディスクドライブのカバー部材。
【請求項９】
前記フィルターは、
吸着フィルターであることを特徴とする、請求項８に記載のハードディスクドライブのカバー部材。
【請求項１０】
ベース部材とカバー部材とから形成されたハウジングと、
前記ベース部材上に設置されたスピンドルモータと、
前記スピンドルモータに装着されたデータ保存用ディスクと、
前記ベース部材上に回動自在に設置され、前記データ保存用ディスクにデータを記録し、又は前記データ保存用ディスクからデータを再生するための書き込み／読み取りヘッドを有するアクチュエータと、
を備え、
前記カバー部材の底面には、
前記データ保存用ディスクの表面側に突出して前記データ保存用ディスクの回転により発生した空気流動を前記データ保存用ディスクの外側に誘導する空気誘導部が設けられ、
前記空気誘導部は、
前記ディスクの回転方向に沿ってその幅が次第に変わる形状を有することを特徴とする、ハードディスクドライブ。
【請求項１１】
前記空気誘導部は、
空気が流れ込む上流側端部から空気が排出される下流側端部へ向かってその幅が次第に広くなる形状を持つことを特徴とする、請求項１０に記載のハードディスクドライブ。
【請求項１２】
前記空気誘導部の内周は、
前記ディスクの回転中心と同心をなし、
前記空気誘導部の外周は、
前記ディスクの回転中心からの半径が前記ディスクの回転方向に沿って次第に大きくなる流線型を成すことを特徴とする、請求項１１に記載のハードディスクドライブ。
【請求項１３】
前記空気誘導部の内周は、
前記ディスクを回転させるスピンドルモータの外周に隣接したことを特徴とする、請求項１２に記載のハードディスクドライブ。
【請求項１４】
前記空気誘導部の上流側端部は、
空気流動方向に対して傾いて形成されたことを特徴とする、請求項１１に記載のハードディスクドライブ。
【請求項１５】
前記空気誘導部は、
前記カバー部材に一体に形成されたことを特徴とする、請求項１０に記載のハードディスクドライブ。
【請求項１６】
前記空気誘導部は、
前記カバー部材のプレス加工時に共に形成されることを特徴とする、請求項１５に記載のハードディスクドライブ。
【請求項１７】
前記空気誘導部の下流側端部に隣接して設置されて、前記空気誘導部を通過した空気中のパーチクルを捕集するフィルターをさらに備えることを特徴とする、請求項１０に記載のハードディスクドライブ。
【請求項１８】
前記フィルターは、
前記空気誘導部の下流側端部の前方に位置するように前記カバー部材の底面に付着された吸着フィルターであることを特徴とする、請求項１７に記載のハードディスクドライブ。
【請求項１９】
前記フィルターは、
前記空気誘導部の下流側端部の前方に位置するように前記ベース部材に設置された再循環フィルターであることを特徴とする、請求項１７に記載のハードディスクドライブ。
【請求項２０】
前記ディスクは、
１インチ以下の直径を持つことを特徴とする、請求項１０に記載のハードディスクドライブ。
【請求項２１】
ハードディスクドライブのハウジングの一部を構成し、ディスクが回動可能に設置されたベース部材の上面を被覆するハードディスクドライブのカバー部材であって、
前記ディスクに対向する面上に突出し、その外壁面が前記ディスクの外周に沿うように湾曲して形成され、その湾曲した前記外壁面が前記ディスクの内周から外周に向けて迫り出すように設置された略半円形の外壁形状を有する空気誘導部を備え、
前記空気誘導部は、
前記ディスクの回転により流動する空気を、前記外壁面に沿って前記ディスクの外周方向に誘導することを特徴とする、ハードディスクドライブのカバー部材。
【発明の詳細な説明】
【技術分野】
【０００１】
本発明は、ハードディスクドライブのカバー部材、及びハードディスクドライブに関する。
【背景技術】
【０００２】
コンピュータの情報保存装置の一つであるハードディスクドライブ（ＨＤＤ；Ｈａｒｄ  Ｄｉｓｋ  Ｄｒｉｖｅ）は、書き込み／読み取りヘッドを使用してディスクに保存されたデータを再生するか、ディスクにデータを記録する装置である。
【０００３】
従来のＨＤＤは、ベース部材とカバー部材とから形成されたハウジングと、前記ベース部材上に設置されたスピンドルモータと、前記スピンドルモータに固設された一つまたはそれ以上のデータ保存用ディスクと、データの再生及び記録のための書き込み／読み取りヘッドを前記ディスク上の所定位置に移動させるためのアクチュエータと、を備えている。前記ヘッドは、回転するディスクの記録面から所定高さ浮上した状態で、前記アクチュエータにより所望の位置に移動することで、その機能を実現する。
【０００４】
このような構成を持つＨＤＤにおいて、ディスクが回転すれば、ハウジング内部には空気流動が発生する。このような流動空気は、ハウジング内部を循環し、これにより、ハウジング内部のパーチクル（又は粒子；ｐａｒｔｉｃｌｅ）も流動空気に沿って循環しつつハウジング内部の所定位置に設置されたフィルターによりフィルタリング（又は除去）される。
【０００５】
従来の３．５インチまたは２．５インチのＨＤＤにおいては、ディスクの直径が比較的大きく、その回転速度も約７，２００ｒｐｍまたは５，４００ｒｐｍと比較的速く、ディスクの回転による空気流動が円滑になされうる。
【０００６】
【特許文献１】特開平１１−２９７０３７号公報
【発明の開示】
【発明が解決しようとする課題】
【０００７】
ところが、モバイル電子機器に使われる小型かつ薄型のＳＦＦ（Ｓｍａｌｌ  Ｆｏｒｍ  Ｆａｃｔｏｒ）ＨＤＤは、主に１インチ以下の直径を持つディスクを使用し、またそのディスクの回転速度も約３，６００ｒｐｍ程度と比較的低い。したがって、ディスクの回転により発生する空気流動が微小であり、ディスク上に流れ込んだパーチクルがディスクの外側に容易に排出されない。この場合、パーチクルはディスク表面に固着されてデータ損傷を起こすか、書き込み／読み取りヘッドに固着されてヘッドの性能を低下させる恐れがあり、また、ヘッドに衝突してヘッドに損傷を負わせるという問題があった。
【０００８】
そこで、本発明は、上記問題に鑑みてなされたものであり、本発明の目的とするところは、ディスクの回転により発生した空気流動をディスクの外側に誘導してディスク上のパーチクルを効率的に除去することが可能な、新規かつ改良されたバードディスクドライブのカバー部材、及びこのカバー部材を備えたハードディスクドライブを提供することにある。
【課題を解決するための手段】
【０００９】
上記課題を解決するために、本発明のある観点によれば、ハードディスクドライブのカバー部材の一面に形成され、データ保存用ディスクに面して突出した空気誘導部を備えることを特徴とする、ハードディスクドライブのカバー部材が提供される。
また、前記空気誘導部は、前記ディスクの回転方向に沿ってその幅が次第に変わる形状を有し、前記データ保存用ディスクの回転により発生した空気流動を、前記データ保存用ディスクの外側に誘導するものであってもよい。
【００１０】
かかる構成により、ディスクの回転により流動する空気を効率的に外周方向に誘導することが可能になり、この空気の流動により、ハードディスクドライブ内の微粒子を効果的にフィルターに集めて除去することができる。その結果、この微粒子によるディスクの損傷や機能低下を防止することが可能になる。
【００１１】
前記空気誘導部は、前記データ保存用ディスクの回転に伴って流動する空気が流れ込む上流側端部から、前記空気が排出される下流側端部に向かって、その幅が次第に広くなる形状を有するものであってもよい。
【００１２】
前記空気誘導部の内周は、前記ディスクの回転中心と同心をなしてもよい。また、前記空気誘導部の外周は、前記ディスクの回転中心からの半径が前記ディスクの回転方向に沿って次第に大きくなる流線型を成していてもよい。
【００１３】
前記空気誘導部の内周は、前記ディスクを回転させるスピンドルモータの外周に隣接するものとしてもよい。
【００１４】
前記空気誘導部の上流側端部は、空気流動方向に対して傾いて形成されていてもよい。
【００１５】
前記空気誘導部は、前記カバー部材に一体に形成されていてもよい。
【００１６】
前記空気誘導部は、前記カバー部材のプレス加工時に共に形成されていてもよい。
【００１７】
前記カバー部材の底面には、前記空気誘導部の下流側端部の前方に位置して流動空気中のパーチクルを捕集するフィルターが付着されていてもよい。
【００１８】
前記フィルターは、吸着フィルターであってもよい。
【００１９】
また、上記課題を解決するために、本発明の別の観点によれば、ベース部材とカバー部材とから形成されたハウジングと、前記ベース部材上に設置されたスピンドルモータと、前記スピンドルモータに装着されたデータ保存用ディスクと、前記ベース部材上に回動自在に設置され、前記データ保存用ディスクにデータを記録し、又は前記データ保存用ディスクからデータを再生するための書き込み／読み取りヘッドを有するアクチュエータと、を備え、前記カバー部材の底面には、前記データ保存用ディスクの表面側に突出して前記データ保存用ディスクの回転により発生した空気流動を前記データ保存用ディスクの外側に誘導する空気誘導部が設けられ、前記空気誘導部は、前記ディスクの回転方向に沿ってその幅が次第に変わる形状を有することを特徴とする、ハードディスクドライブが提供される。
【００２０】
かかる構成により、ディスクの回転により流動する空気を効率的に外周方向に誘導することが可能になり、この空気の流動により、ハードディスクドライブ内の微粒子を効果的にフィルターに集めて除去することができる。その結果、この微粒子によるディスクの損傷や機能低下を防止することが可能になる。
【００２１】
前記空気誘導部は、空気が流れ込む上流側端部から空気が排出される下流側端部へ向かってその幅が次第に広くなる形状を有していてもよい。
【００２２】
前記空気誘導部の内周は、前記ディスクの回転中心と同心をなし、前記空気誘導部の外周は、前記ディスクの回転中心からの半径が前記ディスクの回転方向に沿って次第に大きくなる流線型を成していてもよい。
【００２３】
前記空気誘導部の内周は、前記ディスクを回転させるスピンドルモータの外周に隣接していてもよい。
【００２４】
前記空気誘導部の上流側端部は、空気流動方向に対して傾いて形成されていてもよい。
【００２５】
前記空気誘導部は、前記カバー部材に一体に形成されていてもよい。
【００２６】
前記空気誘導部は、前記カバー部材のプレス加工時に共に形成されていてもよい。
【００２７】
前記空気誘導部の下流側端部に隣接して設置されて、前記空気誘導部を通過した空気中のパーチクルを捕集するフィルターをさらに備えていてもよい。
【００２８】
前記フィルターは、前記空気誘導部の下流側端部の前方に位置するように前記カバー部材の底面に付着された吸着フィルターであってもよい。
【００２９】
前記フィルターは、前記空気誘導部の下流側端部の前方に位置するように前記ベース部材に設置された再循環フィルターであってもよい。
【００３０】
前記ディスクは、１インチ以下の直径を有していてもよい。
【００３１】
また、上記課題を解決するために、本発明の別の観点によれば、ハードディスクドライブのハウジングの一部を構成し、ディスクが回動可能に設置されたベース部材の上面を被覆するハードディスクドライブのカバー部材が提供される。上記のハードディスクドライブのカバー部材は、前記ディスクに対向する面上に突出し、その外壁面が前記ディスクの外周に沿うように湾曲して形成され、その湾曲した前記外壁面が前記ディスクの内周から外周に向けて迫り出すように設置された略半円形の外壁形状を有する空気誘導部を備えることを特徴とする。そして、上記の空気誘導部は、前記ディスクの回転により流動する空気を、前記外壁面に沿って前記ディスクの外周方向に誘導することを特徴とする。
【００３２】
より詳細に述べると、以下の通りである。
本発明に係るＨＤＤのカバー部材は、その底面にはデータ保存用ディスクの表面側に突出して前記ディスクの回転により発生した空気流動を前記ディスクの外側に誘導する空気誘導部が設けられ、前記空気誘導部は、前記ディスクの回転方向に沿ってその幅が次第に変わる形状を持つことを特徴とする。
【００３３】
さらに、前記空気誘導部は、空気が流れ込む上流側端部から空気が排出される下流側端部に行きつつその幅が次第に広くなる形状を持つことが望ましい。
【００３４】
より具体的に述べると、前記空気誘導部の内周は、前記ディスクの回転中心と同心をなし、前記空気誘導部の外周は、前記ディスクの回転中心からの半径が前記ディスクの回転方向に沿って次第に大きくなる流線型になっている。
【００３５】
そして、前記空気誘導部の内周は、前記ディスクを回転させるスピンドルモータの外周に隣接したことが望ましい。また、前記空気誘導部の上流側端部は、空気流動方向に対して傾いて形成されたことが望ましい。
【００３６】
また、前記空気誘導部は、前記カバー部材に一体に形成されたことが望ましい。この場合、前記空気誘導部は、前記カバー部材のプレス加工時に共に形成されうる。
【００３７】
さらに、別の観点から詳細に述べると、本発明に係るＨＤＤは、ベース部材とカバー部材とから形成されたハウジングと、前記ベース部材上に設置されたスピンドルモータと、前記スピンドルモータに装着されたデータ保存用ディスクと、前記ベース部材上に回動自在に設置され、前記ディスクに／からデータを記録／再生するための書き込み／読み取りヘッドを持つアクチュエータと、を備え、前記カバー部材の底面には、前記ディスクの表面側に突出して前記ディスクの回転により発生した空気流動を前記ディスクの外側に誘導する空気誘導部が設けられ、前記空気誘導部は、前記ディスクの回転方向に沿ってその幅が次第に変わる形状を持つことを特徴とする。
【００３８】
本発明によるＨＤＤは、前記空気誘導部の下流側端部に隣接して設置されて、前記空気誘導部を通過した空気中のパーチクルを捕集するフィルターをさらに備える。
【００３９】
この場合、前記フィルターは、前記空気誘導部の下流側端部の前方に位置するように前記カバー部材の底面に付着された吸着フィルターである。一方、前記フィルターは、前記空気誘導部の下流側端部の前方に位置するように前記ベース部材に設置された再循環フィルターでありうる。
【発明の効果】
【００４０】
以上説明したように本発明によれば、ディスクの回転により発生した空気流動が、カバー部材に形成された空気誘導部によりディスクの外側に誘導され、その流動速度も速くなるので、ディスク上のパーチクルがディスクの外側に効果的に排出されうるという効果が得られる。そして、カバー部材に形成された空気誘導部の下流側端部に隣接してフィルターを設置したならば、ディスクの外側に排出されるパーチクルが効率的に捕集されうる。その結果、パーチクルによるディスクの損傷とヘッドの損傷及び性能低下が防止されうる。
【発明を実施するための最良の形態】
【００４１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４２】
以下、添付された図面を参照して本発明の望ましい実施形態を詳細に説明する。以下の図面で同じ参照符号は同じ構成要素を示す。
【００４３】
図１は、本発明の好適な一実施形態に係るカバー部材を備えたＨＤＤを図示した分離斜視図である。図２は、図１に図示されたカバー部材をひっくり返した底面斜視図である。図３は、図１に図示された空気誘導部の作用を説明するための平面図である。
【００４４】
まず、図１を参照すれば、本実施形態に係るＨＤＤは、ベース部材１１１とカバー部材１１２とから形成されたハウジング１１０と、前記ハウジング１１０の内部に設置されたスピンドルモータ１３０、データ保存用ディスク１２０及び書き込み／読み取りヘッドを持つアクチュエータ１４０を備える。
【００４５】
前記ベース部材１１１の底面にはＨＤＤを作動させるための印刷回路基板１６０が結合され、前記印刷回路基板１６０上には複数の回路素子１６２が実装される。
【００４６】
前記ディスク１２０は、データ記録媒体であって、前記スピンドルモータ１３０に少なくとも一つが装着される。前記スピンドルモータ１３０は、ベース部材１１１上に設置されて前記ディスク１２０を回転させる役割を行う。
【００４７】
前記アクチュエータ１４０は、ディスク１２０に／からデータを記録／再生するための書き込み／読み取りヘッドをディスク１２０上の所定位置に移動させるためのものであって、ベース部材１１１上に回動自在に設置される。具体的には、前記アクチュエータ１４０は、ベース部材１１１に設置されたアクチュエータピボット１４１に回転自在に結合されたスイングアーム１４２と、スイングアーム１４２の一側端部に結合されて前記ヘッドが搭載されたスライダー１４４をディスク１２０の表面側に付勢するように支持するサスペンション１４３と、スイングアーム１４２を回転させるためのボイスコイルモータ（ＶＣＭ；Ｖｏｉｃｅ  Ｃｏｉｌ  Ｍｏｔｏｒ）１４６と、を備える。前記ＶＣＭ１４６は、前記スイングアーム１４２の他側端部に結合されるＶＣＭコイル１４７と、前記ＶＣＭコイル１４７と対面して配置されたマグネット１４８と、を備える。
【００４８】
前記の構成を持つＶＣＭ１４６は、サーボ制御システムにより制御され、ＶＣＭコイル１４７に入力される電流とマグネット１４８により形成された磁場との相互作用によりフレミングの左手法則に従って力の働く方向にスイングアーム１４２を回転させる。すなわち、ＨＤＤの電源がオンになってディスク１２０が矢印Ｄ方向に回転し始めれば、ＶＣＭ１４６は、スイングアーム１４２を所定方向に回転させて書き込み／読み取りヘッドが搭載されたスライダー１４４をディスク１２０のデータ記録面上に移動させる。前記スライダー１４４は、回転するディスク１２０により発生する揚力によりディスク１２０の表面から所定高さほど浮上し、このような状態でスライダー１４４に搭載されたヘッドは、ディスク１２０のデータ記録面に対してデータを再生または記録する機能を実現する。一方、ＨＤＤが作動しない場合、すなわちディスク１２０の回転が停止した場合には、前記ＶＣＭ１４６は、スイングアーム１４２を逆方向に回転させてヘッドが搭載されたスライダー１４４をディスク１２０のデータ記録面から逸脱させる。
【００４９】
前記カバー部材１１２は、複数の締結スクリュー１１９により前記ベース部材１１１の上部に結合されて、ディスク１２０、スピンドルモータ１３０、及びアクチュエータ１４０などを包んで（又は覆うことによって）保護する役割を担う。このようなカバー部材１１２は、通常ステンレス鋼またはアルミニウム材質で製作される。例えば、前記カバー部材１１２は、ステンレス鋼板をプレス加工して製作できる。
【００５０】
そして、図１〜図３を共に参照すれば、前記カバー部材１１２には、本実施形態の特徴部として、ディスク１２０の回転により発生した空気流動をディスク１２０の外側に誘導するための空気誘導部１１４が設けられていることが分かる。前記空気誘導部１１４は、前記カバー部材１１２の底面のうち、前記ディスク１２０の表面に対向する位置に設けられ、カバー部材１１２の底面から前記ディスク１２０の表面に向って突出するように形成される。具体的には、前記空気誘導部１１４は、ディスク１２０の回転方向Ｄに沿って長く延びてほぼ円弧状をなしている。特に、前記空気誘導部１１４は、ディスク１２０の回転方向Ｄに沿ってその幅Ｗが次第に変わる形状を持つ。すなわち、前記空気誘導部１１４は、空気が流れ込む上流側端部１１４ａから空気が排出される下流側端部１１４ｂへ行きつつその幅Ｗが次第に広くなる形状を持つ。例えば、空気誘導部１１４は、カバー部材１１２のハウジング１１０内部に面した一面に突出するように形成されていてもよい。そして、空気誘導部１１４は、所定の幅を有する平板状の構造を有しており、その一側面を成す内周１１４ｃは、スピンドルモータ１３０の中心と同心を成す略半円状に形成され、他側面を成す外周１１４ｄは、内周１１４ｃよりも半径の大きな略半円状に形成され、内周１１４ｃと外周１１４ｄとの垂直距離に相当する幅が徐々に大きく（又は小さく）なる構造を有していてもよい。より分かり易く言い換えると、空気誘導部１１４の平面形状は、勾玉の横断面と実質的に同一な形状を成していてもよいのである。この構造は、特に図２又は３を参照すると理解しやすい。
【００５１】
具体的に、前記空気誘導部１１４の内周１１４ｃは、スピンドルモータ１３０の外周と一定の間隔で離隔されるように形成できる。すなわち、前記空気誘導部１１４の内周１１４ｃは、ディスク１２０の回転中心と同心をなす。この時、前記空気誘導部１１４の内周１１４ｄは、スピンドルモータ１３０の外周と最大限隣接していることが望ましい。前記空気誘導部１１４の外周１１４ｄは、ディスク１２０の回転中心からの半径（又は距離）がディスク１２０の回転方向Ｄに沿って次第に大きくなる流線型に形成される。このような形状を持つ空気誘導部１１４によれば、ディスク１２０の外側エッジと空気誘導部１１４の外周１１４ｄとの間隔が、ディスク１２０の回転方向Ｄに沿って次第に狭くなる。
【００５２】
そして、前記空気誘導部１１４の上流側端部１１４ａは、空気流動Ｆをその外周１１４ｄ側にさらに円滑にガイドできるように空気流動Ｆ方向に対して傾いて形成されることが望ましい。
【００５３】
一方、前記空気誘導部１１４は、カバー部材１１２に一体に形成できる。すなわち、プレス加工により前記カバー部材１１２を製造する場合、これと共に前記空気誘導部１１４をカバー部材１１２の底面から凸状に突出するように形成できる。この場合、空気誘導部１１４のための別途の追加的な部材を使用しなくてもよいので、追加的なコスト負担及び重さの増加がないので望ましいと言える。
【００５４】
しかし、これに限定されるものではなく、前記空気誘導部１１４は別個の部材であって、前記カバー部材１１２の底面に付着されてもよい。
【００５５】
以下では、図３を参照して前記した空気誘導部１１４の作用を説明する。
【００５６】
前記スピンドルモータ１３０によりディスク１２０が矢印Ｄ方向に回転し始めれば、このような方向の空気流動Ｆが発生する。このように発生した空気流動Ｆは、前記空気誘導部１１４の傾いた上流側端部１１４ａにより空気誘導部１１４の外周１１４ｄ側にガイドされる。次いで、空気流動Ｆは、空気誘導部１１４の外周１１４ｄとベース部材１１１の側壁との間でディスク１２０の回転方向Ｄに沿って流れ続ける。この時、前記のように、ディスク１２０の回転方向Ｄに沿って空気誘導部１１４の外周１１４ｄとディスク１２０の外側エッジとの間隔が次第に狭くなるので、前記空気流動Ｆは次第にディスク１２０の外側に誘導される。そして、空気誘導部１１４の下流側端部１１４ｂに近づくほど空気誘導部１１４の外周１１４ｄとベース部材１１１の側壁との間隔が狭くなるので、空気流動Ｆの速度も高くなる。したがって、ディスク１２０上のパーチクルが空気流動Ｆと共にディスク１２０の外側に効果的に排出されるので、パーチクルによるディスク１２０の損傷とヘッドの損傷及び性能低下が防止される。
【００５７】
そして、本実施形態は、前記空気誘導部１１４の下流側端部１１４ｂに隣接して設置されたフィルター１１６をさらに備えることができる。具体的に、前記フィルター１１６として吸着フィルターが使われ、この吸着フィルター１１６は、前記空気誘導部１１４の下流側端部１１４ｂの前方に位置するように前記カバー部材１１２の底面に付着されうる。したがって、前記のように空気流動Ｆと共にディスク１２０の外側に排出されるパーチクルが前記吸着フィルター１１６により効率的に捕集されうる。
【００５８】
図１〜図３に図示されたフィルターの他の例としてベース部材に設置されたフィルターを示す部分斜視図である。
【００５９】
図４を参照すれば、空気流動Ｆと共にディスク１２０の外側に排出されるパーチクルをフィルタリングするために、ディスクドライブのベース部材１１１に再循環フィルター１１８が設置されうる。前記再循環フィルター１１８は、前記空気誘導部１１４の下流側端部１１４ｂの前方に位置するように設置され、ベース部材１１１に固設されたフィルターホルダー１１７により支持されうる。
【００６０】
一方、前記再循環フィルター１１８は、図１〜図３に図示された吸着フィルター１１６の代りに使われることができ、また前記吸着フィルター１１６と共に使われてもよい。
【００６１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６２】
例えば、本発明は、１インチ以下の小型ＨＤＤに適用されることが望ましいが、１インチより大きい２．５インチまたは３．５インチのＨＤＤにも適用されうる。
【図面の簡単な説明】
【００６３】
【図１】本発明の望ましい実施形態によるカバー部材を備えたＨＤＤを示した分離斜視図である。
【図２】図１に図示されたカバー部材をひっくり返した底面斜視図である。
【図３】図１に図示された空気誘導部の作用を説明するための平面図である。
【図４】図１〜図３に図示されたフィルターの他の例として、ベース部材に設置されたフィルターを示す部分斜視図である。
【符号の説明】
【００６４】
１１０    ハウジング
１１１    ベース部材
１１２    カバー部材
１１４    空気誘導部
１１４ａ    上流側端部
１１４ｂ    下流側端部
１１６    フィルター
１１９    締結スクリュー
１２０    データ保存用ディスク
１３０    スピンドルモータ
１４０    アクチュエータ
１４１    アクチュエータピボット
１４２    スイングアーム
１４３    サスペンション
１４４    スライダー
１４６    ＶＣＭ
１４７    ＶＣＭコイル
１４８    マグネット
１６０    印刷回路基板
１６２    回路素子
Ｄ    ディスクの回転方向
Ｗ    空気誘導部の幅
【図１】
2007066507.tif 000003
【図２】
2007066507.tif 000004
【図３】
2007066507.tif 000005
【図４】
2007066507.tif 000006